(57)【要約】【課題】この発明は、自己に付属のリモートコントローラから一方の方式で送信された操作情報と、他のリモートコントローラから他方の方式で送信された操作情報とがほぼ同時に受信された場合に、ユーザにとって不所望な事態が生じることを防止するようにしたＡＶ機器及びその制御方法を提供することを目的としている。【解決手段】赤外線を用いて送信された操作情報を受信する赤外線受信手段（２０）と、電波を用いて送信された操作情報を受信する電波受信手段（２１）とで受信された各操作情報を共に受け付ける兼用受信モードに設定されている状態で、一方の受信手段に操作情報が受信されてから予め設定された所定時間以内に他方の受信手段に操作情報が受信されたとき、赤外線受信手段（２０）で受信した操作情報を受け付ける。【選択図】    図１
2010050782.tif 000002
【特許請求の範囲】
【請求項１】
赤外線を用いて送信された操作情報を受信する赤外線受信手段と、
電波を用いて送信された操作情報を受信する電波受信手段と、
前記赤外線受信手段及び前記電波受信手段の少なくとも一方で受信された操作情報を受け付け、その操作情報に対応した状態に各部を制御する制御手段と、
前記赤外線受信手段及び前記電波受信手段で受信された各操作情報を共に受け付ける兼用受信モードに設定されている状態で、一方の受信手段に操作情報が受信されてから予め設定された所定時間以内に他方の受信手段に操作情報が受信されたとき、前記赤外線受信手段で受信した操作情報を受け付けるように前記制御手段を制御する受信制御手段とを具備することを特徴とするＡＶ機器。
【請求項２】
前記受信制御手段の制御により、前記赤外線受信手段で受信された操作情報が受け付けられ、前記電波受信手段で受信された操作情報が受け付けられなかったことを通知する通知手段を具備することを特徴とする請求項１記載のＡＶ機器。
【請求項３】
前記受信制御手段の制御により、前記赤外線受信手段で受信された操作情報が受け付けられ、前記電波受信手段で受信された操作情報が受け付けられなかったことを通知するための応答信号を、電波を用いて送信する送信手段を具備することを特徴とする請求項１記載のＡＶ機器。
【請求項４】
前記受信制御手段は、一方の受信手段に操作情報が受信されてから予め設定された所定時間以内に他方の受信手段に操作情報が受信され、かつ、各受信手段で受信された操作情報の内容が異なる場合に、前記赤外線受信手段で受信した操作情報を受け付けるように前記制御手段を制御することを特徴とする請求項１記載のＡＶ機器。
【請求項５】
赤外線を用いて操作情報を送信する赤外線送信手段と、電波を用いて操作情報を送信する電波送信手段とを備え、前記赤外線送信手段及び前記電波送信手段で共に操作情報を送信する兼用モードに設定可能なリモートコントローラを備え、
前記受信制御手段は、前記兼用モードに設定された前記リモートコントローラが前記赤外線送信手段及び前記電波送信手段から同時に操作情報を送信したとき、前記赤外線受信手段及び前記電波受信手段にそれぞれ操作情報が受信される時間差に対応させて、前記予め設定された所定時間を設定していることを特徴とする請求項１記載のＡＶ機器。
【請求項６】
前記電波受信手段で受信された操作情報のみを受け付ける電波受信専用モードに設定されている状態で、前記赤外線受信手段に受信された操作情報に基づいて前記電波受信専用モードを解除する解除手段を具備することを特徴とする請求項１記載のＡＶ機器。
【請求項７】
前記解除手段は、前記電波受信専用モードに設定されている状態で、前記赤外線受信手段に操作情報が受信された場合、赤外線を用いて送信される操作情報で前記電波受信専用モードを解除するための案内を表示することを特徴とする請求項６記載のＡＶ機器。
【請求項８】
前記赤外線受信手段で受信された操作情報のみを受け付ける赤外線受信専用モードに設定されている状態で、前記電波受信手段に受信された操作情報に基づいて前記赤外線受信専用モードを解除する解除手段を具備することを特徴とする請求項１記載のＡＶ機器。
【請求項９】
前記解除手段は、前記赤外線受信専用モードに設定されている状態で、前記電波受信手段に操作情報が受信された場合、電波を用いて送信される操作情報で前記赤外線受信専用モードを解除するための案内を表示することを特徴とする請求項８記載のＡＶ機器。
【請求項１０】
赤外線を用いて送信された操作情報を受信する工程と、
電波を用いて送信された操作情報を受信する工程と、
前記赤外線及び前記電波の少なくとも一方で受信された操作情報を受け付け、その操作情報に対応した状態に各部を制御する工程と、
前記赤外線及び前記電波で受信された各操作情報を共に受け付ける兼用受信モードに設定されている状態で、一方の操作情報が受信されてから予め設定された所定時間以内に他方の操作情報が受信されたとき、前記赤外線で受信した操作情報を受け付けるように制御する工程とを有することを特徴とするＡＶ機器の制御方法。
【発明の詳細な説明】
【技術分野】
【０００１】
この発明は、リモートコントローラにより無線で操作されるＡＶ（audio visual）機器及びその制御方法の改良に関する。
【背景技術】
【０００２】
周知のように、例えばＤＶＤ（digital versatile disk）のような光ディスクを再生する光ディスク再生装置等に代表される各種のＡＶ機器にあっては、ユーザがリモートコントローラを用いて操作情報を無線送信することにより、種々の動作状態や停止状態等に遠隔操作することが可能である。
【０００３】
この場合、一般的な家庭用のＡＶ機器においては、リモートコントローラからＡＶ機器に操作情報を無線送信するために使用されている手段として、赤外線を伝送媒体として操作情報を送信する赤外線方式を採用したタイプと、電波を伝送媒体として操作情報を送信する電波方式を採用したタイプとの、２種類が主流になっている。
【０００４】
このうち、赤外線方式は、リモートコントローラとＡＶ機器とを結ぶ直線上に赤外線を遮断する障害物が存在しない状態で、リモートコントローラをＡＶ機器に向けて操作情報を送信する必要がある反面、赤外線方式を用いている他のＡＶ機器のリモートコントローラとの互換性を確保することができる。
【０００５】
一方、電波方式は、リモートコントローラとＡＶ機器との間で双方向通信を行なわせるために利用される方式であり、リモートコントローラとＡＶ機器とを結ぶ直線上に障害物が存在していても、操作情報をＡＶ機器に伝達させたり、ＡＶ機器からリモートコントローラに情報を伝達させたりすることができる。
【０００６】
また、現在では、赤外線方式と電波方式との双方を採用したリモートコントローラで操作可能なＡＶ機器が出現している。この種のリモートコントローラは、操作情報を、赤外線のみを用いて送信する赤外線専用モードと、電波のみを用いて送信する電波専用モードと、赤外線と電波との両方を用いて同時に送信する兼用モードとを備え、各モードがユーザにより設定可能となっている。
【０００７】
そして、このようなリモートコントローラからの操作情報を受けるＡＶ機器では、赤外線を用いて送信された操作情報を受信する機能と、電波を用いて送信された操作情報を受信する機能とを備え、いずれの機能で受信された操作情報に対しても対応することができるようになっている。
【０００８】
ところで、先に述べたように、赤外線方式のリモートコントローラは、他のＡＶ機器に使用されている赤外線方式のリモートコントローラと互換性がある。すなわち、赤外線と電波との双方の受信機能を有するＡＶ機器においては、自己に付属のリモートコントローラから赤外線や電波で送信される操作情報によって制御されるだけでなく、他のＡＶ機器に使用されているリモートコントローラから赤外線で送信される操作情報によっても制御されることになる。
【０００９】
このため、この種のＡＶ機器では、自己に付属のリモートコントローラから赤外線や電波により送信された操作情報と、他のＡＶ機器に使用されているリモートコントローラから赤外線で送信された操作情報とがほぼ同時に受信され、しかも、双方の操作情報の内容が異なっているようなとき、ユーザにとって不所望な事態が生じないように対策を施すことが強く要望されている。
【００１０】
特許文献１には、赤外線及びＵＨＦのリモコン信号のいずれでも各種機器を制御することができるリモコン装置において、ＵＨＦのリモコン信号からリーダコードを検知した場合に、赤外線のリモコン信号の信号経路を遮断し、ＵＨＦのリモコン信号のみによって機器制御を行なうことにより、誤動作を防止するようにした構成が開示されている。
【特許文献１】特開平５−１３７１７９号公報
【発明の開示】
【発明が解決しようとする課題】
【００１１】
そこで、この発明は上記事情を考慮してなされたもので、自己に付属のリモートコントローラから一方の方式で送信された操作情報と、他のリモートコントローラから他方の方式で送信された操作情報とがほぼ同時に受信された場合に、ユーザにとって不所望な事態が生じることを防止するようにしたＡＶ機器及びその制御方法を提供することを目的とする。
【課題を解決するための手段】
【００１２】
この発明に係るＡＶ機器は、赤外線を用いて送信された操作情報を受信する赤外線受信手段と、電波を用いて送信された操作情報を受信する電波受信手段と、赤外線受信手段及び電波受信手段の少なくとも一方で受信された操作情報を受け付け、その操作情報に対応した状態に各部を制御する制御手段と、赤外線受信手段及び電波受信手段で受信された各操作情報を共に受け付ける兼用受信モードに設定されている状態で、一方の受信手段に操作情報が受信されてから予め設定された所定時間以内に他方の受信手段に操作情報が受信されたとき、赤外線受信手段で受信した操作情報を受け付けるように制御手段を制御する受信制御手段とを備えるようにしたものである。
【００１３】
また、この発明に係るＡＶ機器の制御方法は、赤外線を用いて送信された操作情報を受信する工程と、電波を用いて送信された操作情報を受信する工程と、赤外線及び電波の少なくとも一方で受信された操作情報を受け付け、その操作情報に対応した状態に各部を制御する工程と、赤外線及び電波で受信された各操作情報を共に受け付ける兼用受信モードに設定されている状態で、一方の操作情報が受信されてから予め設定された所定時間以内に他方の操作情報が受信されたとき、赤外線で受信した操作情報を受け付けるように制御する工程とを有するようにしたものである。
【発明の効果】
【００１４】
上記した発明によれば、赤外線及び電波で受信された各操作情報を共に受け付ける兼用受信モードに設定されている状態で、一方の操作情報が受信されてから予め設定された所定時間以内に他方の操作情報が受信されたとき、赤外線で受信した操作情報を受け付けるようにしている。これにより、自己に付属のリモートコントローラから一方の方式で送信された操作情報と、他のリモートコントローラから他方の方式で送信された操作情報とがほぼ同時に受信された場合に、ユーザにとって不所望な事態が生じることを防止することが可能となる。
【発明を実施するための最良の形態】
【００１５】
以下、この発明の実施の形態について図面を参照して詳細に説明する。図１は、この実施の形態で説明するＡＶ機器として光ディスク再生装置１１の主要な信号処理系を示している。この光ディスク再生装置１１は、例えばＤＶＤのような光ディスク１２を着脱自在に装着可能であり、装着された光ディスク１２から、そこに記録されているデータを読み取る光ディスクドライブ部１３を備えている。
【００１６】
そして、この光ディスクドライブ部１３で光ディスク１２から読み取られたデータは、データ再生処理部１４に供給されて所定のデータ再生処理が施されることにより、アナログ映像信号及びアナログ音声信号等に復元され、出力端子１５を介して外部に取り出されるようになっている。
【００１７】
ここで、この光ディスク再生装置１１は、上記した光ディスク１２の再生動作を含むその全ての動作を制御部１６によって統括的に制御されている。この制御部１６は、ＣＰＵ（central processing unit）１６ａを内蔵しており、光ディスク再生装置１１に付属のリモートコントローラ２４から送信される操作情報を受けて、その操作内容が反映されるように各部をそれぞれ制御している。
【００１８】
この場合、制御部１６は、メモリ部１６ｂを利用している。このメモリ部１６ｂは、主として、そのＣＰＵ１６ａが実行する制御プログラムを格納したＲＯＭ（read only memory）と、該ＣＰＵ１６ａに作業エリアを提供するＲＡＭ（random access memory）と、各種の設定情報及び制御情報等が格納される不揮発性メモリとを有している。
【００１９】
なお、この制御部１６は、電源部１７からの電力が常時供給されて起動状態となっている副制御部１８の制御に基づいて、通電スイッチ１９がオンされることにより電源部１７からの電力が供給されるようになって起動状態となる。これにより、上記した光ディスク１２の再生動作を実行するように制御を行なう状態となる。
【００２０】
また、上記副制御部１８は、赤外線受信部２０、電波受信部２１、電波送信部２２及び本体表示部２３に接続されている。このうち、赤外線受信部２０は、リモートコントローラ２４から赤外線を伝送媒体として送信された操作情報を受信し、その受信した操作情報を副制御部１８に供給するように機能する。また、電波受信部２１は、リモートコントローラ２４から電波を伝送媒体として送信された操作情報を受信し、その受信した操作情報を副制御部１８に供給するように機能する。
【００２１】
そして、副制御部１８は、赤外線受信部２０及び電波受信部２１から得られた操作情報が電源オンを要求する内容である場合に、通電スイッチ１９をオン状態に制御して、制御部１６に電源部１７からの電力を供給させるように機能する。また、通電スイッチ１９がオン状態である場合、副制御部１８は、赤外線受信部２０及び電波受信部２１から得られた操作情報を制御部１６に供給する。これにより、制御部１６がリモートコントローラ２４からの操作情報を受けて、その操作内容が反映されるように各部をそれぞれ制御することが可能となる。
【００２２】
なお、赤外線受信部２０及び電波受信部２１から得られた操作情報が電源オフを要求する内容である場合、副制御部１８は、通電スイッチ１９をオフ状態に制御して、制御部１６に電源部１７からの電力が供給されなくなるように機能する。
【００２３】
また、上記電波送信部２２は、制御部１６及び副制御部１８の少なくとも一方で、リモートコントローラ２４に送信すべき情報が生成された場合、その情報を電波によりリモートコントローラ２４に送信するように機能する。さらに、上記本体表示部２３は、制御部１６及び副制御部１８の少なくとも一方で、外部に表示すべき情報が生成された場合、その情報を表示するように機能する。
【００２４】
ここで、上記制御部１６には、操作情報受信制御部１６ｃが備えられている。この操作情報受信制御部１６ｃは、詳細は後述するが、赤外線受信部２０に操作情報が受信された後、予め設定された所定時間以内に電波受信部２１に操作情報が受信された場合、赤外線による操作情報を受け付け、電波による操作情報を受け付けないように制御している。
【００２５】
また、この操作情報受信制御部１６ｃは、電波受信部２１に操作情報が受信された後、予め設定された所定時間以内に赤外線受信部２０に操作情報が受信された場合、赤外線による操作情報を受け付け、電波による操作情報を受け付けないように制御している。
【００２６】
つまり、この操作情報受信制御部１６ｃは、予め設定された所定時間以内に、赤外線による操作情報と電波による操作情報とが前後して受信された場合、赤外線による操作情報の方を優先的に受け付けるように制御している。
【００２７】
これにより、光ディスク再生装置１１では、自己に付属のリモートコントローラ２４から電波により送信された操作情報と、他のＡＶ機器に使用されている図示しないリモートコントローラから赤外線で送信された操作情報とがほぼ同時に受信され、しかも、双方の操作情報の内容が異なっているような場合に、誤動作が生じることを防止することができる。
【００２８】
例えば、１人のユーザが、他のＡＶ機器に使用されているリモートコントローラの再生キーを操作し、赤外線で光ディスク１２を再生する旨の操作情報を送信させた直後に、他のユーザが、誤まって光ディスク再生装置１１に付属のリモートコントローラ２４の停止キーを操作してしまい、電波により再生を停止する旨の操作情報が送信されてしまった場合、光ディスク再生装置１１は、再生動作後、直ぐに停止状態になる。つまり、光ディスク１２の再生を希望したユーザにとっては、不所望な事態が生じることになる。
【００２９】
しかしながら、操作情報受信制御部１６ｃにより、予め設定された所定時間以内に、赤外線による操作情報と電波による操作情報とが前後して受信された場合、赤外線による操作情報の方を優先的に受け付けるようにしたので、電波による操作情報が無視されて、光ディスク再生装置１１が光ディスク１２の再生を行なうことが可能となる。
【００３０】
ここで、光ディスク再生装置１１が、赤外線による操作情報の方を電波による操作情報よりも優先的に受け付けるようにした理由について説明する。すなわち、赤外線による操作情報は、ユーザがリモートコントローラ（光ディスク再生装置１１に付属のものでも、他のＡＶ機器に使用されているものでも）を光ディスク再生装置１１に向けた上で、リモートコントローラのキーを操作することにより送信されて、光ディスク再生装置１１に受信される。
【００３１】
これに対し、電波による操作情報は、リモートコントローラの向きに無関係に、ユーザがリモートコントローラのキーを操作するだけで送信されて、光ディスク再生装置１１に受信される。つまり、赤外線による操作情報の方が、電波による操作情報に比べて、ユーザが光ディスク再生装置１１を制御すべく明確な意図を持ってリモートコントローラを操作した結果、光ディスク再生装置１１に受信されたものである可能性が高いと言えるからである。
【００３２】
ここで、上記操作情報受信制御部１６ｃは、赤外線による操作情報が受信された時刻と電波による操作情報が受信された時刻との時間差が、予め設定された所定時間以内である場合に、赤外線による操作情報を優先的に受け付けるように動作する。この予め設定された所定時間とは、例えば０．１〜１秒程度が適切なところである。
【００３３】
すなわち、リモートコントローラ２４が操作情報を赤外線と電波との両方を用いて同時に送信する兼用モードに設定されている場合、光ディスク再生装置１１では、リモートコントローラ２４から同じ内容の操作情報が赤外線と電波とにより同時に送信されても、赤外線による操作情報が受信される時刻と、電波による操作情報が受信される時刻とにずれが生じる。
【００３４】
このため、光ディスク再生装置１１では、先に赤外線による操作情報を受信した場合、その受信時刻から予め設定された所定時間（例えば０．１〜１秒）以内に、同じ内容の操作情報を電波により受信したとき、リモートコントローラ２４が兼用モードに設定されていると判断し、その操作情報に対応するようにしている。
【００３５】
また、上記と逆に、先に電波による操作情報を受信した場合、その受信時刻から予め設定された上記所定時間以内に、同じ内容の操作情報を赤外線により受信したとき、リモートコントローラ２４が兼用モードに設定されていると判断し、その操作情報に対応するようにしている。
【００３６】
そこで、少なくとも、光ディスク再生装置１１が、リモートコントローラ２４が兼用モードに設定されていると判断するために予め設定されている所定時間（例えば０．１〜１秒）を、上記操作情報受信制御部１６ｃが赤外線による操作情報を優先的に受け付けるように動作するために設定される所定時間とすることが考えられる。これにより、異なる方式で異なる内容の操作情報がほぼ同時に受信されることにより、ユーザにとって不所望な事態が生じることを防止することができる。
【００３７】
なお、赤外線による操作情報を優先的に受け付ける状態であっても、電波による操作情報は、電波受信部２１で受信されて制御部１６によりその内容が判別される。このため、リモートコントローラ２４が兼用モードに設定されているか否かの判断に不都合が生じることは無いようになされている。
【００３８】
図２は、上記リモートコントローラ２４の外観を示している。このリモートコントローラ２４には、ユーザが光ディスク再生装置１１を各種の動作状態や停止状態に遠隔操作するための種々の操作キーが設置されているが、この実施の形態を説明する上で主要となるものは、液晶表示部２４ａ、電源キー２４ｂ、赤外線専用モードキー２４ｃ、電波専用モードキー２４ｄ及び兼用モードキー２４ｅである。
【００３９】
このうち、電源キー２４ｂは、光ディスク再生装置１１に対して電源のオンオフを要求する、つまり、上記通電スイッチ１９のオンオフを要求する操作情報を発生させるものである。また、上記赤外線専用モードキー２４ｃは、リモートコントローラ２４を赤外線のみを用いて操作情報を送信する赤外線専用モードに設定するものである。
【００４０】
さらに、上記電波専用モードキー２４ｃは、リモートコントローラ２４を電波のみを用いて操作情報を送信する電波専用モードに設定するものである。また、上記兼用モードキー２４ｅは、リモートコントローラ２４を赤外線と電波との両方を用いて同時に操作情報を送信する兼用モードに設定するものである。
【００４１】
そして、上記液晶表示部２４ａは、光ディスク再生装置１１から電波によってリモートコントローラ２４に送信された情報や、リモートコントローラ２４の内部状態を表示している。例えば、リモートコントローラ２４が赤外線による操作情報の送信を行なっているとき“ＩＲ”なる表示を行ない、リモートコントローラ２４が電波による操作情報の送信を行なっているとき“ＲＦ”なる表示を行ない、リモートコントローラ２４が赤外線と電波との双方による操作情報の送信を行なっているとき“ＩＲ・ＲＦ”なる表示を行なうように機能する。
【００４２】
図３は、上記リモートコントローラ２４の主要な信号処理系を示している。このリモートコントローラ２４は、電池２５の電力が供給されて起動状態となる制御部２６を備えている。この制御部２６は、ＣＰＵ２６ａ及びこのＣＰＵ２６ａが利用するメモリ部２６ｂを備え、リモートコントローラ２４の動作を統括的に制御している。
【００４３】
すなわち、この制御部２６は、リモートコントローラ２４に設置された各種の操作キーを総称する操作部２７からの操作情報を受け、その操作情報を赤外線送信部２８及び電波送信部２９のいずれか一方または両方から送信させるように制御している。また、この制御部２６は、リモートコントローラ２４の内部状態や電波受信部３０に受信された情報等を、上記液晶表示部２４ａに表示させるように制御している。
【００４４】
図４及び図５は、上記した操作情報受信制御部１６ｃの処理動作をまとめたフローチャートを示している。すなわち、通電スイッチ１９がオンされている状態で処理が開始（ステップＳ４ａ）されると、操作情報受信制御部１６ｃは、ステップＳ４ｂで、いずれかのリモートコントローラ（光ディスク再生装置１１に付属のものでも、他のＡＶ機器に使用されているものでもよい）から、赤外線及び電波の少なくとも一方により操作情報が受信されたか否かを判別する。
【００４５】
そして、操作情報が受信されたと判断された場合（ＹＥＳ）、操作情報受信制御部１６ｃは、ステップＳ４ｃで、初回の受信であるか否かを判別し、初回の受信であると判断された場合（ＹＥＳ）、ステップＳ４ｄで、初回受信が行なわれたことを設定する。その後、操作情報受信制御部１６ｃは、ステップＳ４ｅで、内蔵されたタイマ（図示せず）を用いて予め設定された所定時間の計測を開始する。
【００４６】
このステップＳ４ｅの後、または、上記ステップＳ４ｃで初回の受信でないと判断された場合（ＮＯ）、操作情報受信制御部１６ｃは、ステップＳ４ｆで、操作情報の受信が赤外線によって行なわれたか否かを判別し、赤外線であると判断された場合（ＹＥＳ）、ステップＳ４ｇで、赤外線による操作情報のみを受け付ける状態に設定する。
【００４７】
このステップＳ４ｇの後、または、上記ステップＳ４ｆで操作情報の受信が赤外線によって行なわれたのではないと判断された場合（ＮＯ）、操作情報受信制御部１６ｃは、ステップＳ４ｈで、上記タイマの計測値が所定時間（例えば０．５秒）を超えたか否かを判別し、越えていないと判断された場合（ＮＯ）、ステップＳ４ｂの処理に戻される。
【００４８】
なお、上記ステップＳ４ｂで操作情報が受信されていないと判断された場合（ＮＯ）、操作情報受信制御部１６ｃは、ステップＳ４ｉで、初回受信が行なわれたことが設定されているか否かを判別する。そして、設定されていると判断された場合（ＹＥＳ）、上記ステップＳ４ｈの処理に移行し、設定されていないと判断された場合（ＮＯ）、処理を終了（ステップＳ４ｏ）する。
【００４９】
また、上記ステップＳ４ｈでタイマの計測値が所定時間を超えたと判断された場合（ＹＥＳ）、操作情報受信制御部１６ｃは、ステップＳ４ｊで、赤外線による操作情報のみを受け付ける状態に設定されているか否かを判別し、設定されていると判断された場合（ＹＥＳ）、ステップＳ４ｋで、赤外線による操作情報を受け付けた後、ステップＳ４ｌで、赤外線による操作情報のみを受け付ける状態を解除する。
【００５０】
さらに、上記ステップＳ４ｊで赤外線による操作情報のみを受け付ける状態に設定されていないと判断された場合（ＮＯ）、操作情報受信制御部１６ｃは、ステップＳ４ｍで、電波による操作情報が受信されていればそれを受け付ける。そして、上記ステップＳ４ｌまたはステップＳ４ｍの後、操作情報受信制御部１６ｃは、ステップＳ４ｎで、上記タイマの計測値を初期化して、処理を終了（ステップＳ４ｏ）する。
【００５１】
図６は、上記したフローチャートに基づいて、光ディスク再生装置１１と、それに付属のリモートコントローラ２４と、他のＡＶ機器に使用されているリモートコントローラとが行なう動作シーケンスの一例を示している。
【００５２】
すなわち、ステップＳ６ａで、他のＡＶ機器のリモートコントローラから赤外線によって送信された操作情報が光ディスク再生装置１１に受信され、その時点から予め設定された所定時間（例えば０．５秒）以内に、ステップＳ６ｂに示すように、付属のリモートコントローラ２４から電波によって操作情報が送信され光ディスク再生装置１１に受信されたとする。
【００５３】
すると、光ディスク再生装置１１では、ステップＳ６ｃに示すように、赤外線による操作情報のみを受け付け、電波による操作情報を受け付けない状態に設定されたことを示す応答信号を、電波によりリモートコントローラ２４に送信する。これにより、リモートコントローラ２４は、ステップＳ６ｄに示すように、光ディスク再生装置１１が外部のリモートコントローラからの赤外線による操作情報によって制御されている状態であることを示す“ＩＲ ＥＸＩＳＴ”なるメッセージを液晶表示部２４ａに表示させる。すなわち、リモートコントローラ２４は、自己の送信した電波による操作情報が受け付けられなかったことをユーザに通知する。
【００５４】
また、光ディスク再生装置１１は、ステップＳ６ｅに示すように、自己に付属のリモートコントローラ２４ではなく、外部のリモートコントローラからの赤外線による操作情報によって制御されている状態であることを示す“ＩＲ ＥＸＩＳＴ”なるメッセージを本体表示部２３に表示させる。すなわち、光ディスク再生装置１１は、電波による操作情報を受け付けなかったことをユーザに通知する。
【００５５】
図７は、先に図４及び図５に示したフローチャートに基づいて、光ディスク再生装置１１と、それに付属のリモートコントローラ２４と、他のＡＶ機器に使用されているリモートコントローラとが行なう動作シーケンスの他の例を示している。
【００５６】
すなわち、ステップＳ７ａで、付属のリモートコントローラ２４から電波によって送信された操作情報が光ディスク再生装置１１に受信され、その時点から予め設定された所定時間（例えば０．５秒）以内に、ステップＳ７ｂに示すように、他のＡＶ機器のリモートコントローラから赤外線によって操作情報が送信され光ディスク再生装置１１に受信されたとする。
【００５７】
すると、光ディスク再生装置１１では、ステップＳ７ｃに示すように、赤外線による操作情報のみを受け付け、電波による操作情報を受け付けない状態に設定されたことを示す応答信号を、電波によりリモートコントローラ２４に送信する。これにより、リモートコントローラ２４は、ステップＳ７ｄに示すように、光ディスク再生装置１１が外部のリモートコントローラからの赤外線による操作情報によって制御されている状態であることを示す“ＩＲ ＥＸＩＳＴ”なるメッセージを液晶表示部２４ａに表示させる。すなわち、リモートコントローラ２４は、自己の送信した電波による操作情報が受け付けられなかったことをユーザに通知する。
【００５８】
また、光ディスク再生装置１１は、ステップＳ７ｅに示すように、自己に付属のリモートコントローラ２４ではなく、外部のリモートコントローラからの赤外線による操作情報によって制御されている状態であることを示す“ＩＲ ＥＸＩＳＴ”なるメッセージを本体表示部２３に表示させる。すなわち、光ディスク再生装置１１は、電波による操作情報を受け付けなかったことをユーザに通知する。
【００５９】
なお、上記した実施の形態では、赤外線による操作情報が受信された時刻と電波による操作情報が受信された時刻との時間差が予め設定された所定時間以内である場合に、赤外線による操作情報を優先的に受け付けるようにしている。しかしながら、これに限ることなく、例えば、赤外線による操作情報が受信された時刻と電波による操作情報が受信された時刻との時間差が予め設定された所定時間以内であり、かつ、両操作情報の内容が異なる場合に、赤外線による操作情報を優先的に受け付けるようにしても良いものである。
【００６０】
以上では、光ディスク再生装置１１が赤外線による操作情報と電波による操作情報とを共に受信する兼用受信モードに設定されている場合について説明したが、ＡＶ機器（この場合、光ディスク再生装置１１）によっては、ユーザがリモートコントローラを操作することによって、赤外線による操作情報のみを受け付ける赤外線受信専用モードと、電波による操作情報のみを受け付ける電波受信専用モードとに選択的に設定可能となっているものも存在する。
【００６１】
このような光ディスク再生装置１１の場合、電波受信専用モードに設定されているときに、手元に赤外線方式のリモートコントローラしかない場合には、操作することができずユーザにとって不所望な事態が生じることになる。そこで、この実施の形態では、赤外線方式のリモートコントローラの電源キーを３秒以上操作し続けることにより、電波受信専用モードを解除することができるようにして、ユーザにとっての取り扱いを便利にするようにしている。
【００６２】
図８及び図９は、赤外線方式のリモートコントローラを用いて、光ディスク再生装置１１に設定された電波受信専用モードを解除する処理動作をまとめたフローチャートを示している。すなわち、光ディスク再生装置１１が電波受信専用モードに設定されている状態で処理が開始（ステップＳ８ａ）されると、制御部１６は、ステップＳ８ｂで、赤外線による操作情報が受信されたか否かを判別する。
【００６３】
そして、受信されたと判断された場合（ＹＥＳ）、制御部１６は、ステップＳ８ｃで、電波受信専用モードの解除準備が設定されているか否かを判別し、設定されていないと判断された場合（ＮＯ）、ステップＳ８ｄで、本体表示部２３に電波受信専用モードに設定されている旨のメッセージを表示させ、ステップＳ８ｅで、電波受信専用モードの解除準備を設定した後、ステップＳ８ｆで、内蔵されたタイマ（図示せず）を用いて電波受信専用モード解除のための準備時間の計測を開始し、上記ステップＳ８ｂの処理に戻される。
【００６４】
また、上記ステップＳ８ｃで電波受信専用モードの解除準備が設定されていると判断された場合（ＹＥＳ）、制御部１６は、ステップＳ８ｇで、受信された赤外線による操作情報が電源キーに対応するものか否かを判別し、電源キーに対応するものであると判断された場合（ＹＥＳ）、ステップＳ８ｈで、内蔵されたタイマ（図示せず）を用いて電源キーに対応する操作情報が得られている時間、つまり、リモートコントローラの電源キーが操作され続けている時間の計測を開始する。
【００６５】
そして、制御部１６は、ステップＳ８ｉで、電源キーが操作され続けている時間が３秒を超えたか否かを判別し、超えたと判断された場合（ＹＥＳ）、ステップＳ８ｊで、電波受信専用モードを解除する。
【００６６】
その後、制御部１６は、ステップＳ８ｋで、上記電波受信専用モード解除のための準備時間を計測しているタイマの計測値を初期化し、ステップＳ８ｌで、リモートコントローラの電源キーが操作され続けている時間を計測しているタイマの計測値を初期化した後、ステップＳ８ｍで、受信モードを初期化、つまり、赤外線と電波との両方の操作情報を受け付ける兼用受信モードに設定して、処理を終了（ステップＳ８ｑ）する。
【００６７】
また、上記ステップＳ８ｂで赤外線による操作情報が受信されていないと判断された場合（ＮＯ）、制御部１６は、ステップＳ８ｎで、電波受信専用モードの解除準備が設定されているか否かを判別し、設定されていないと判断された場合（ＮＯ）、処理を終了（ステップＳ８ｑ）する。
【００６８】
一方、上記ステップＳ８ｎで電波受信専用モードの解除準備が設定されていると判断された場合（ＹＥＳ）、または、上記ステップＳ８ｇで赤外線による操作情報が電源キーに対応するものでないと判断された場合（ＮＯ）、制御部１６は、ステップＳ８ｏで、リモートコントローラの電源キーが操作され続けている時間を計測しているタイマの計測値を初期化する。
【００６９】
そして、このステップＳ８ｏの後、または、上記ステップＳ８ｉで電源キーが操作され続けている時間が３秒以内であると判断された場合（ＮＯ）、制御部１６は、ステップＳ８ｐで、電波受信専用モード解除のための準備時間が１０秒を超えたか否かを判別し、越えたと判断された場合（ＹＥＳ）、上記ステップＳ８ｋの処理に移行され、１０秒以内であると判断された場合（ＮＯ）、上記ステップＳ８ｂの処理に戻される。
【００７０】
図１０は、上記したフローチャートに基づいて、光ディスク再生装置１１と、例えば他のＡＶ機器に使用されているリモートコントローラとが行なう動作シーケンスの一例を示している。すなわち、ステップＳ１０ａに示すように、他のリモートコントローラから赤外線により電源キーに対応する操作情報が、電波受信専用モードに設定されている光ディスク再生装置１１に３秒以上受信されると、光ディスク再生装置１１は、ステップＳ１０ｂに示すように、電波受信専用モードが解除される。
【００７１】
また、光ディスク再生装置１１は、ステップＳ１０ｃに示すように、外部のリモートコントローラからの赤外線による操作情報によって制御されている状態であることを示す“ＩＲ ＥＸＩＳＴ”なるメッセージを本体表示部２３に表示させる。さらに、光ディスク再生装置１１は、ステップＳ１０ｄに示すように、電波受信専用モードが解除されたことを音によってユーザに通知する。
【００７２】
なお、光ディスク再生装置１１では、電波受信専用モードに設定されている状態で赤外線による操作情報が受信されたとき、例えば「赤外線によるリモートコントローラの電源キーを３秒以上押してください」のように、電波受信専用モードを赤外線により解除するためのメッセージを本体表示部２３に表示させれば、ユーザにとってより便利である。
【００７３】
また、上記とは逆に、赤外線受信専用モードに設定されている光ディスク再生装置１１とリモートコントローラとの間に遮蔽物が存在して、赤外線による操作情報が光ディスク再生装置１１に伝達されない状況を考慮すると、電波による操作情報を用いて光ディスク再生装置１１に設定されている赤外線受信専用モードを解除することも必要となる。
【００７４】
この場合は、図１１にステップＳ１１ａとして示すように、電波による操作情報の送信が可能なリモートコントローラ２４から、電波により電源キーに対応する操作情報を、赤外線受信専用モードに設定されている光ディスク再生装置１１に３秒以上送信することによって、ステップＳ１１ｂに示すように、光ディスク再生装置１１の赤外線受信専用モードを解除することができる。
【００７５】
この場合、光ディスク再生装置１１では、ステップＳ１１ｃに示すように、赤外線受信専用モードが解除され、電波による操作情報を受け付けられる状態に設定されたことを示す応答信号を、電波によりリモートコントローラ２４に送信する。これにより、リモートコントローラ２４は、ステップＳ１１ｄに示すように、電波による操作情報の送信を行なっているとき“ＲＦ”なるメッセージを液晶表示部２４ａに表示する。また、光ディスク再生装置１１は、ステップＳ１１ｅに示すように、リモートコントローラ２４から電波による操作情報を受信したとき、“ＲＦ”なるメッセージを本体表示部２３に表示する。
【００７６】
なお、光ディスク再生装置１１では、赤外線受信専用モードに設定されている状態で電波による操作情報が受信されたとき、例えば「電波によるリモートコントローラの電源キーを３秒以上押してください」のように、赤外線受信専用モードを電波により解除するためのメッセージを本体表示部２３に表示させれば、ユーザにとってより便利である。
【００７７】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００７８】
【図１】この発明の実施の形態を示すもので、光ディスク再生装置の主要な信号処理系を説明するために示すブロック構成図。
【図２】同実施の形態における光ディスク再生装置のリモートコントローラを説明するために示す外観図。
【図３】同実施の形態におけるリモートコントローラの主要な信号処理系を説明するために示すブロック構成図。
【図４】同実施の形態における光ディスク再生装置が行なう主要な処理動作の一部を説明するために示すフローチャート。
【図５】同実施の形態における光ディスク再生装置が行なう主要な処理動作の残部を説明するために示すフローチャート。
【図６】同実施の形態における光ディスク再生装置とリモートコンローラとの動作シーケンスの一例を説明するために示す図。
【図７】同実施の形態における光ディスク再生装置とリモートコンローラとの動作シーケンスの他の例を説明するために示す図。
【図８】同実施の形態における光ディスク再生装置が行なう他の処理動作の一部を説明するために示すフローチャート。
【図９】同実施の形態における光ディスク再生装置が行なう他の処理動作の残部を説明するために示すフローチャート。
【図１０】同実施の形態における光ディスク再生装置とリモートコンローラとの動作シーケンスのさらに他の例を説明するために示す図。
【図１１】同実施の形態における光ディスク再生装置とリモートコンローラとの動作シーケンスのさらに他の例を説明するために示す図。
【符号の説明】
【００７９】
１１…光ディスク再生装置、１２…光ディスク、１３…光ディスクドライブ部、１４…データ再生処理部、１５…出力端子、１６…制御部、１６ａ…ＣＰＵ、１６ｂ…メモリ部、１６ｃ…操作情報受信制御部、１７…電源部、１８…副制御部、１９…通電スイッチ、２０…赤外線受信部、２１…電波受信部、２２…電波送信部、２３…本体表示部、２４…リモートコントローラ、２４ａ…液晶表示部、２４ｂ…電源キー２４ｂ、２４ｃ…赤外線専用モードキー、２４ｄ…電波専用モードキー、２４ｅ…兼用モードキー、２５…電池、２６…制御部、２６ａ…ＣＰＵ、２６ｂ…メモリ部、２７…操作部、２８…赤外線送信部、２９…電波送信部、３０…電波受信部。
【図１】
2010050782.tif 000003
【図２】
2010050782.tif 000004
【図３】
2010050782.tif 000005
【図４】
2010050782.tif 000006
【図５】
2010050782.tif 000007
【図６】
2010050782.tif 000008
【図７】
2010050782.tif 000009
【図８】
2010050782.tif 000010
【図９】
2010050782.tif 000011
【図１０】
2010050782.tif 000012
【図１１】
2010050782.tif 000013